(57)【要約】【課題】透明ＯＬＥＤパネルの電気的な接続を改善することができる照明器具を提供することである。【解決手段】複数のパネルと；枠と；接続体と；を具備した照明器具が提供される。複数のパネルは、有機エレクトロルミネセンスにより発光する。枠は、絶縁材料であって光を透過する材料により形成され、複数のパネルを封入する。接続体は、導電性を有する。パネルは、基板と、第１の電極と、第２の電極と、第１の導電体と、第２の導電体と、を有する。第１の導電体は、導電性を有し第１の電極に接続され基板の第１の側面に設けられている。第２の導電体は、導電性を有し第２の電極に接続され基板の第２の側面に設けられている。複数のパネルは、第１導電体、第２の導電体および接続体により互いに電気的に接続されている。【選択図】図２
2014150197.tif 000002
【特許請求の範囲】
【請求項１】
有機エレクトロルミネセンスにより発光する複数のパネルと；
絶縁材料であって光を透過する材料により形成され前記複数のパネルを封入する枠と；
導電性を有する接続体と；
を具備し、
前記パネルは、
光を透過する材料により形成された基板と、
前記基板の上に設けられ前記パネルに電圧を供給する第１の電極と、
前記基板の上に設けられ前記パネルに電圧を供給する第２の電極と、
導電性を有し前記第１の電極に接続され前記基板の第１の側面に設けられた第１の導電体と、
導電性を有し前記第２の電極に接続され前記基板の第２の側面に設けられた第２の導電体と、
を有し、
前記複数のパネルは、前記第１導電体、前記第２の導電体および前記接続体により互いに電気的に接続された照明器具。
【請求項２】
前記枠は、前記パネルが設置される凹部を有し、
前記接続体は、前記凹部の側壁に設けられた請求項１記載の照明器具。
【請求項３】
前記枠は、前記凹部が形成された第１の枠体と、前記第１の枠体の上に設けられ前記パネルを覆う第２の枠体と、を有し、
前記接続体は、前記第１の枠体と前記第２の枠体との接合面にさらに設けられた請求項２記載の照明器具。
【請求項４】
前記第１の導電体、前記第２の導電体および前記接続体の少なくともいずれかは、金属ペースト、カーボンペースト、導電性テープおよびはんだ材料の少なくともいずれかを含む請求項１〜３のいずれか１つに記載の照明器具。
【請求項５】
前記第１の導電体と前記接続体との間に設けられ金属ペースト、カーボンペースト、導電性テープおよびはんだ材料の少なくともいずれかを含む第３の導電体と；
前記第２の導電体と前記接続体との間に設けられ金属ペースト、カーボンペースト、導電性テープおよびはんだ材料の少なくともいずれかを含む第４の導電体と；
をさらに具備し、
前記第１の導電体は、前記第３の導電体を介して前記接続体に電気的に接続され、
前記第２の導電体は、前記第４の導電体を介して前記接続体に電気的に接続された請求項１〜４のいずれか１つに記載の照明器具。
【請求項６】
前記第１の電極は、前記基板の主面に対して垂直にみたときに、前記パネルの発光領域を通り前記基板の第１の端部まで延在し前記第１の導電体と電気的に接続された補助配線を有し、
前記補助電極および前記第２電極は、それぞれ複数設けられ、
前記複数の補助電極は、前記主面の上の全体において所定のピッチで互いに離隔して設けられ、
前記複数の第２の電極は、前記主面の上の全体において前記所定のピッチで互いに離隔して設けられた請求項１〜５のいずれか１つに記載の照明器具。
【請求項７】
前記複数の補助配線は、前記第１の導電体を介して互いに電気的に接続され、
前記複数の第２の電極は、前記第２の導電体を介して互いに電気的に接続された請求項６記載の照明器具。
【発明の詳細な説明】
【技術分野】
【０００１】
本発明の実施形態は、照明器具に関する。
【背景技術】
【０００２】
一般的に、透明電極として用いられる錫をドープした酸化インジウム（ＩＴＯ：Indium Tin Oxide）を陰極に用いることで、非点灯時に透明となる有機発光ダイオード（ＯＬＥＤ：Organic Light-Emitting Diode）パネル（透明ＯＬＥＤパネル）が得られることが知られている。複数枚の透明ＯＬＥＤパネルを組み合わせることにより、非点灯時に透明となるＯＬＥＤ照明器具を形成することができる。
【０００３】
複数枚の透明ＯＬＥＤパネルを組み合わせる場合には、ＯＬＥＤ照明器具の機械的強度を確保する必要がある。例えば、一例として、透明な材料（例えばプラスチックやガラスなど）により枠を形成し、その枠に透明ＯＬＥＤパネルを組み入れることが挙げられる。この場合には、照明器具全体の透明性を確保しつつ、複数枚のうちのそれぞれの透明ＯＬＥＤパネルに電圧を供給することが求められる。
【先行技術文献】
【特許文献】
【０００４】
【特許文献１】特開２００９−２６６５０３号公報
【特許文献２】特開２０１１−２４９５４１号公報
【発明の概要】
【発明が解決しようとする課題】
【０００５】
本発明が解決しようとする課題は、透明ＯＬＥＤパネルの電気的な接続を改善することができる照明器具を提供することである。
【課題を解決するための手段】
【０００６】
実施形態によれば、複数のパネルと；枠と；接続体と；を具備した照明器具が提供される。前記複数のパネルは、有機エレクトロルミネセンスにより発光する。前記枠は、絶縁材料であって光を透過する材料により形成され、前記複数のパネルを封入する。前記接続体は、導電性を有する。前記パネルは、基板と、第１の電極と、第２の電極と、第１の導電体と、第２の導電体と、を有する。前記基板は、光を透過する材料により形成されている。前記第１の電極は、前記基板の上に設けられ、前記パネルに電圧を供給する。前記第２の電極は、前記基板の上に設けられ、前記パネルに電圧を供給する。前記第１の導電体は、導電性を有し前記第１の電極に接続され前記基板の第１の側面に設けられている。前記第２の導電体は、導電性を有し前記第２の電極に接続され前記基板の第２の側面に設けられている。前記複数のパネルは、前記第１導電体、前記第２の導電体および前記接続体により互いに電気的に接続されている。
【発明の効果】
【０００７】
本発明の実施形態によれば、透明ＯＬＥＤパネルの電気的な接続を改善することができる照明器具を提供することができる。
【図面の簡単な説明】
【０００８】
【図１】本発明の実施の形態にかかる照明器具を表す模式的平面図である。
【図２】本実施形態のパネルおよび照明器具を表す模式的断面図である。
【図３】本実施形態の照明器具を表す模式的断面図である。
【図４】本実施形態のパネルを表す模式的斜視図である。
【図５】本実施形態のパネルを表す模式図である。
【図６】本実施形態の他のパネルを表す模式的斜視図である。
【図７】本実施形態の電気的接続の一例を例示する模式的平面図である。
【図８】本実施形態の電気的接続の他の一例を例示する模式図である。
【発明を実施するための形態】
【０００９】
第１の発明は、有機エレクトロルミネセンスにより発光する複数のパネルと；絶縁材料であって光を透過する材料により形成され前記複数のパネルを封入する枠と；導電性を有する接続体と；を具備し、前記パネルは、光を透過する材料により形成された基板と、前記基板の上に設けられ前記パネルに電圧を供給する第１の電極と、前記基板の上に設けられ前記パネルに電圧を供給する第２の電極と、導電性を有し前記第１の電極に接続され前記基板の第１の側面に設けられた第１の導電体と、導電性を有し前記第２の電極に接続され前記基板の第２の側面に設けられた第２の導電体と、を有し、前記複数のパネルは、前記第１導電体、前記第２の導電体および前記接続体により互いに電気的に接続された照明器具である。
【００１０】
この照明器具によれば、有機エレクトロルミネセンスにより発光するパネルの電気的な接続を改善することができる。
【００１１】
第２の発明は、第１の発明において、前記枠は、前記パネルが設置される凹部を有し、前記接続体は、前記凹部の側壁に設けられた照明器具である。
【００１２】
この照明器具によれば、パネルが枠の凹部に設置されると、凹部の側壁に設けられた接続体によりパネルの電気的な接続を改善することができる。
【００１３】
第３の発明は、第２の発明において、前記枠は、前記凹部が形成された第１の枠体と、前記第１の枠体の上に設けられ前記パネルを覆う第２の枠体と、を有し、前記接続体は、前記第１の枠体と前記第２の枠体との接合面にさらに設けられた照明器具である。
【００１４】
この照明器具によれば、パネルが枠の凹部に設置されると、凹部の側壁に設けられた接続体および第１の枠体と第２の枠体との接合面に設けられた接続体によりパネルの電気的な接続を改善することができる。
【００１５】
第４の発明は、第１〜３のいずれか１つの発明において、前記第１の導電体、前記第２の導電体および前記接続体の少なくともいずれかは、金属ペースト、カーボンペースト、導電性テープおよびはんだ材料の少なくともいずれかを含む照明器具である。
【００１６】
この照明器具によれば、第１の電極および第２の電極が形成された後、金属ペースト、カーボンペースト、導電性テープおよびはんだ材料の少なくともいずれかにより第１の導電体および第２の導電体を比較的容易に設けることができる。
【００１７】
第５の発明は、第１〜４のいずれか１つの発明において、前記第１の導電体と前記接続体との間に設けられ金属ペースト、カーボンペースト、導電性テープおよびはんだ材料の少なくともいずれかを含む第３の導電体と；前記第２の導電体と前記接続体との間に設けられ金属ペースト、カーボンペースト、導電性テープおよびはんだ材料の少なくともいずれかを含む第４の導電体と；をさらに具備し、前記第１の導電体は、前記第３の導電体を介して前記接続体に電気的に接続され、前記第２の導電体は、前記第４の導電体を介して前記接続体に電気的に接続された照明器具である。
【００１８】
この照明器具によれば、パネルを枠に取り付けた後に例えば寸法誤差などにより第１の導電体と接続体との間に隙間が存在する場合でも、第３の導電体を設けることで第１の導電体と接続体とを第３の導電体を介して電気的に接続することができる。また、パネルを枠に取り付けた後に例えば寸法誤差などにより第２の導電体と接続体との間に隙間が存在する場合でも、第４の導電体を設けることで第２の導電体と接続体とを第４の導電体を介して電気的に接続することができる。
【００１９】
第６の発明は、第１〜５のいずれか１つの発明において、前記第１の電極は、前記基板の主面に対して垂直にみたときに、前記パネルの発光領域を通り前記基板の第１の端部まで延在し前記第１の導電体と電気的に接続された補助配線を有し、前記補助電極および前記第２電極は、それぞれ複数設けられ、前記複数の補助電極は、前記主面の上の全体において所定のピッチで互いに離隔して設けられ、前記複数の第２の電極は、前記主面の上の全体において前記所定のピッチで互いに離隔して設けられた照明器具である。
【００２０】
この照明器具によれば、補助配線は、第１の電極の面内に広がりきれない電流を第１の電極の面内に広げ、第１の電極の導電性を向上させることができる。これにより、補助配線は、パネルの面内での輝度ムラを抑制することができる。また、複数の補助配線および複数の第２の電極のそれぞれが所定のピッチで互いに離隔して設けられているため、離隔した部分から光を通すことができる。これにより、照明器具全体の透明性を確保することができる。
【００２１】
第７の発明は、第６の発明において、前記複数の補助配線は、前記第１の導電体を介して互いに電気的に接続され、前記複数の第２の電極は、前記第２の導電体を介して互いに電気的に接続された照明器具である。
【００２２】
この照明器具によれば、補助配線および第２の電極を形成した後に手作業により複数の補助配線同士および複数の第２の電極同士を接続する必要性を抑えることができる。第１の導電体を形成することで、複数の補助配線同士を接続できるともに補助電極を基板の側面に延在させることができる。また、第２の導電体を形成することで、複数の第２の電極同士を接続できるともに第２の電極を基板の側面に延在させることができる。
【００２３】
以下、本発明の実施の形態について図面を参照しつつ説明する。なお、各図面中、同様の構成要素には同一の符号を付して詳細な説明は適宜省略する。  
図１は、本発明の実施の形態にかかる照明器具を表す模式的平面図である。  
図２は、本実施形態のパネルおよび照明器具を表す模式的断面図である。  
図３は、本実施形態の照明器具を表す模式的断面図である。  
図２（ａ）は、図１に表した切断面Ａ−Ａにおける本実施形態のパネルを表す模式的断面図である。図２（ｂ）および図２（ｃ）は、図１に表した切断面Ａ−Ａにおける本実施形態の照明器具を表す模式的断面図である。図３（ａ）は、図２（ｂ）に表した領域Ａ１の模式的拡大図である。図３（ｂ）は、図２（ｂ）に表した領域Ａ２の模式的拡大図である。なお、図１〜図３に表した照明器具およびパネルは、それぞれの概略を表した模式図である。
【００２４】
本実施形態にかかる照明器具１００は、枠１１０と、パネル１２０と、接続体１３０と、を備える。図２（ｃ）に表したように、枠１１０は、第１の枠体１１１と、第２の枠体１１２と、を有する。枠１１０は、絶縁材料であって光を透過可能な材料（例えば光を透過可能なアクリルやポリカーボネートなど）により形成されている。
【００２５】
本願明細書において、「光を透過可能な材料」あるいは「光を透過する材料」とは、透過率が１００パーセント（％）の材料に限定されず、少なくとも可視光の波長を有する光に対して透過率がゼロではない材料をいうものとする。
【００２６】
照明器具１００は、複数のパネル１２０が第１の枠体１１１と第２の枠体１１２との間に挟設され封入された構造を有する。具体的には、図２（ｂ）および図２（ｃ）に表したように、第１の枠体１１１は、凹部１１４を有する。凹部１１４の深さは、パネル１２０の厚さと略同じである。パネル１２０は、第１の枠体１１１に設けられた凹部１１４に配置されている。凹部１１４は、例えば、平板を切削することにより第１の枠体１１１に形成される。
【００２７】
なお、図１に表した照明器具１００では、４つのパネル１２０が設けられているが、照明器具１００に設けられるパネル１２０の設置数は、４つに限定されるわけではなく、例えば２つであってもよい。以下では、４つのパネル１２０が設けられる場合を例に挙げて説明する。
【００２８】
図２（ａ）に表したように、パネル１２０は、基板１２１と、第１の電極１２２と、第２の電極１２５と、有機層１２８と、第１の導電体１２２ａと、第２の導電体１２５ａと、を有する。基板１２１は、透明な材料（例えば光を透過可能なガラスや樹脂材料）により形成されている。有機層１２８の少なくとも一部は、第１の電極１２２と第２の電極１２５との間に設けられている。なお、実用的には、第１の電極１２２、第２の電極１２５および有機層１２８を基板１２１との間で挟む図示しない封止基板が設けられる。
【００２９】
パネル１２０は、有機エレクトロルミネセンス（ＯＥＬ：Organic Electro-Luminescence）により発光するシート状のパネルであって、非点灯時に透明、すなわちパネルを介して反対側を見ることが可能な有機発光ダイオード（ＯＬＥＤ：Organic Light-Emitting Diode）パネルを含む。パネル１２０は、第１の電極１２２および第２の電極１２５を介して電圧が供給されると、基板１２１の第１の主面１２１ｃ（図２（ａ）参照）から外部へ光を放射することができる。すなわち、有機層１２８は、第１の電極１２２と第２の電極１２５との間に電圧が印加されると発光領域１２７（図１参照）において発光し、基板１２１の第１の主面１２１ｃから外部へ光を放射することができる。なお、第２の電極１２５から光がほとんど放射されないようにすることもできる。
【００３０】
本実施形態では、第１の電極１２２は、アノード電極である。第１の電極１２２は、電極膜１２３と、補助配線１２４と、を有する（図５（ｂ）および図５（ｃ）参照）。電極膜１２３は、透明導電膜としての錫をドープした酸化インジウム（ＩＴＯ：Indium Tin Oxide）により形成されている。補助配線１２４は、複数の層が積層された構造を有する。第１の電極１２２の構造については、後に詳述する。図１に表したように、第１の主面１２１ｃに対して略垂直に照明器具１００をみたときに、補助配線１２４は、発光領域１２７内を通り、基板１２１の第１の端部１２１ａまで延在している。言い換えれば、図１に表したように、第１の主面１２１ｃに対して略垂直に照明器具１００をみたときに、補助配線１２４の少なくとも一部は、発光領域１２７内に存在し、補助配線１２４の一端は、基板１２１の第１の端部１２１ａに配置されている。
【００３１】
本実施形態では、第２の電極１２５は、カソード電極である。第２の電極１２５は、例えばアルミニウム（Ａｌ）などの金属材料により形成されている。図１に表したように、第１の主面１２１ｃに対して略垂直に照明器具１００をみたときに、第２の電極１２５は、発光領域１２７内を通り、基板１２１の第２の端部１２１ｂまで延在している。言い換えれば、図１に表したように、第１の主面１２１ｃに対して略垂直に照明器具１００をみたときに、第２の電極１２５の少なくとも一部は、発光領域１２７内に存在し、第２の電極１２５の一端は、基板１２１の第２の端部１２１ｂに配置されている。
【００３２】
本実施形態では、複数の補助配線１２４が設けられている。複数の補助配線１２４は、互いに接続されている。  
図２（ａ）に表したように、第１の導電体１２２ａは、基板１２１の第１の側面１２１ｄに設けられている。第１の導電体１２２ａは、導電性を有し、金属ペースト、カーボンペースト、導電性テープおよびはんだ材料の少なくともいずれかを含む。第１の導電体１２２ａは、補助配線１２４（第１の電極１２２）と電気的に接続されている。
【００３３】
本実施形態では、複数の第２の電極１２５が設けられている。複数の第２の電極１２５は、互いに接続されている。  
図２（ａ）に表したように、第２の導電体１２５ａは、基板１２１の第２の側面１２１ｅに設けられている。第２の導電体１２５ａは、導電性を有し、金属ペースト、カーボンペースト、導電性テープおよびはんだ材料の少なくともいずれかを含む。第２の導電体１２５ａは、第２の電極１２５と電気的に接続されている。  
第１の電極１２２と第２の電極１２５との間には、絶縁層１２４ｄが設けられている。絶縁層１２４ｄについては、後に詳述する。
【００３４】
図２（ｂ）〜図３（ｂ）に表したように、接続体１３０は、第１の枠体１１１の凹部１１４の側壁１１４ａと、第１の枠体１１１の上面（第１の枠体１１１と第２の枠体１１２との接合面）１１５と、に設けられている。接続体１３０は、導電性有し、金属ペースト、カーボンペースト、導電性テープおよびはんだ材料の少なくともいずれかを含む。なお、接続体１３０は、ペースト状あるいはテープ状のものに限定されず、例えば一般的なリード線のように線材を含むものでもよい。
【００３５】
パネル１２０が第１の枠体１１１の凹部１１４に配置された状態において、接続体１３０は、第３の導電体１５１を介して第１の導電体１２２ａと電気的に接続されている。第３の導電体１５１は、第１の導電体１２２ａと接続体１３０との間に設けられている。また、パネル１２０が第１の枠体１１１の凹部１１４に配置された状態において、接続体１３０は、第４の導電体１５３を介して第２の導電体１２５ａと電気的に接続されている。第４の導電体１５３は、第２の導電体１２５ａと接続体１３０との間に設けられている。
【００３６】
第３の導電体１５１および第４の導電体１５３は、金属ペースト、カーボンペースト、導電性テープおよびはんだ材料の少なくともいずれかを含む。第３の導電体１５１は、パネル１２０が第１の枠体１１１の凹部１１４に配置された後に、第１の導電体１２２ａと接続体１３０との間の隙間を埋めるために設けられたものである。第４の導電体１５３は、パネル１２０が第１の枠体１１１の凹部１１４に配置された後に、第２の導電体１２５ａと接続体１３０との間の隙間を埋めるために設けられたものである。なお、接続体１３０は、第３の導電体１５１および第４の導電体１５３を介することなく直接的に第１の導電体１２２ａおよび第２の導電体１２５ａのそれぞれと電気的に接続されていてもよい。
【００３７】
本実施形態によれば、パネル１２０は、第１の枠体１１１と第２の枠体１１２との間に挟設され封入された状態において、第１の導電体１２２ａと第２の導電体１２５ａと接続体１３０と第３の導電体１５１と第４の導電体１５３とにより枠１１０の外部の電源と電気的に接続され得る。また、複数のパネル１２０は、第１の枠体１１１と第２の枠体１１２との間に挟設され封入された状態において、第１の導電体１２２ａと第２の導電体１２５ａと接続体１３０と第３の導電体１５１と第４の導電体１５３とにより互いに電気的に接続され得る。そのため、例えばプリント配線などの特別な配線を別途設ける必要がなく、換言すれば透明な枠１１０を備える照明器具１００の美観を損なうことなく、照明器具１００、枠１１０およびパネル１２０の厚さを抑えつつパネル１２０の電気的な接続を改善することができる。この効果は、本実施形態のパネル１２０が光透過性のパネルであることにより、全体として透明に統一された照明器具１００において、有意なものの１つである。
【００３８】
さらに、厚さを抑えられたパネル１２０が枠１１０の中に封入されているため、照明器具１００の取り扱いや複数の照明器具１００の電気的な接続がより容易となる。そのため、より大きな面積の透明ＯＬＥＤ照明器具を提供することができる。
【００３９】
次に、本実施形態のパネル１２０について、図面を参照しつつさらに説明する。  
図４は、本実施形態のパネルを表す模式的斜視図である。  
図５は、本実施形態のパネルを表す模式図である。  
図４（ａ）は、本実施形態のパネル１２０において、第１の導電体１２２ａおよび第２の導電体１２５ａの設置形態の一例を例示する模式的斜視図である。図４（ｂ）は、本実施形態のパネル１２０において、第１の導電体１２２ａおよび第２の導電体１２５ａの設置形態の他の一例を例示する模式的斜視図である。  
図５（ａ）は、本実施形態のパネルを表す模式的平面図である。図５（ｂ）は、図５（ａ）に表した切断面Ｂ−Ｂにおける模式的断面図である。図５（ｃ）は、図５（ａ）に表した切断面Ｃ−Ｃにおける模式的断面図である。
【００４０】
図５（ｂ）および図５（ｃ）に表したように、本実施形態のパネル１２０では、基板１２１の上に第１の電極１２２の電極膜１２３が設けられている。電極膜１２３の上には、補助配線１２４が設けられている。補助配線１２４は、電極膜１２３と電気的に接続されている。補助配線１２４は、複数の層が積層された構造を有する。本実施形態では、補助配線１２４は、第１の層１２４ａと、第２の層１２４ｂと、第３の層１２４ｃと、絶縁層１２４ｄと、を有する。
【００４１】
第１の層１２４ａは、電極膜１２３の上に設けられている。第３の層１２４ｃは、第１の層１２４ａの上に設けられている。第２の層１２４ｂは、第１の層１２４ａと第３の層１２４ｃとの間に設けられている。
【００４２】
例えば、第１の層１２４ａおよび第３の層１２４ｃは、モリブデン（Ｍｏ）を含む。例えば、第２の層１２４ｂは、アルミニウム（Ａｌ）を含む。第１の層１２４ａは、第２の層１２４ｂが電極膜１２３と接触して電極膜１２３が変色等することを防止する。あるいは、第１の層１２４ａは、第２の層１２４ｂと電極膜１２３との密着性を向上させる。第３の層１２４ｃは、電流がアルミニウムを含む第２の層１２４ｂに流れすぎることで生ずるエレクトロマイグレーションを抑える。
【００４３】
図５（ａ）に表したように、複数の線状の補助配線１２４は、例えばエッチングなどにより、基板１２１の第１の主面１２１ｃの上の略全体において所定のピッチＰ１でパターン形成されている。つまり、複数の補助配線１２４は、所定のピッチＰ１で互いに離隔して設けられたストライプ状を呈している。ピッチＰ１は、例えば約０．５〜１ミリメートル（ｍｍ）程度である。補助配線１２４の幅（図５（ａ）では横方向の長さ）Ｄ１は、例えば約５０〜１００マイクロメートル（μｍ）程度である。補助配線１２４は、電極膜１２３だけでは面内に広がりきれない電流を電極膜１２３の面内に広げ、第１の電極１２２の導電性を向上させることができる。これにより、補助配線１２４は、パネル１２０の面内での輝度ムラを抑制することができる。
【００４４】
図５（ｂ）および図５（ｃ）に表したように、絶縁層１２４ｄは、第１の層１２４ａと第２の層１２４ｂと第３の層１２４ｃとが積層された積層体の表面（例えば上面あるいは側面）に設けられている。絶縁層１２４ｄは、第１の層１２４ａ、第２の層１２４ｂおよび第３の層１２４ｃと、第２の電極１２５と、の間の電気的な接続を絶縁する。これにより、絶縁層１２４ｄは、電極膜１２３が補助配線１２４の仕事関数に支配されることを抑制し、電極膜１２３の仕事関数をＩＴＯの示す約５．０エレクトロンボルト（ｅＶ）程度の値に維持することができる。
【００４５】
なお、第１の層１２４ａ、第２の層１２４ｂおよび第３の層１２４ｃの表面には、絶縁層１２４ｄの代わりに、ＩＴＯ膜が例えばスパッタリングなどにより形成されていてもよい。絶縁層１２４ｄを形成するか、あるいはＩＴＯ膜を形成するかについては、パネル１２０を作成するプロセスの自由度として任意に選択することができる。
【００４６】
図４（ａ）に表したように、補助配線１２４は、第１の導電体１２２ａと電気的に接続されている。第１の導電体１２２ａは、基板１２１の第１の側面１２１ｄに設けられている。これは、図１および図２に関して前述した通りである。さらに、第１の導電体１２２ａは、複数の補助配線１２４を電気的に繋ぐように、第１の側面１２１ｄの略全面に形成されている。
【００４７】
第１の電極１２２の上には、有機層１２８が設けられている。有機層１２８の上には、第２の電極１２５が設けられている。図５（ａ）に表したように、複数の第２の電極１２５は、例えばエッチングなどにより、基板１２１の第１の主面１２１ｃの上の略全体において所定のピッチＰ２でパターン形成されている。つまり、第２の電極１２５は、所定のピッチＰ２で互いに離隔して設けられている。ピッチＰ２は、例えば約０．５〜１ミリメートル（ｍｍ）程度であり、補助配線１２４のピッチＰ１と同じ値である。第２の電極１２５の幅（図５（ａ）では横方向の長さ）Ｄ２は、例えば約５０〜１００マイクロメートル（μｍ）程度である。なお、図４〜図５（ｂ）に表したパネル１２０では、第２の電極１２５の幅Ｄ２は、補助配線１２４の幅Ｄ１よりも狭いが、これだけに限定されず、補助配線１２４の幅Ｄ１と同じであってもよい。
【００４８】
なお、第２の電極１２５は、第１の電極１２２と同様に、透明導電膜としての錫をドープした酸化インジウム（ＩＴＯ）により形成されていてもよい。
【００４９】
図４（ａ）に表したように、第２の電極１２５は、第２の導電体１２５ａと電気的に接続されている。第２の導電体１２５ａは、基板１２１の第２の側面１２１ｅに設けられている。これは、図１および図２に関して前述した通りである。さらに、第２の導電体１２５ａは、複数の第２の電極１２５を電気的に繋ぐように、第２の側面１２１ｅの略全面に形成されている。
【００５０】
有機層１２８の上には、図示しない基板あるいは膜が形成されている。つまり、本実施形態のパネル１２０は、第１の電極１２２、有機層１２８および第２の電極１２５が基板１２１と図示しない基板あるいは膜との間に挟設され封入された構造を有する。有機層１２８の上に設けられる図示しない基板あるいは膜は、基板１２１と同様に、透明な材料（例えば光を透過可能なガラスや樹脂材料）により形成されている。なお、第１の電極１２２および第２の電極１２５で挟まれた領域のみに有機層１２８を形成することもできる。
【００５１】
前述したように、補助配線１２４および第２の電極１２５は、所定の幅で形成され、かつ所定のピッチで配置されている。基板１２１と、電極膜１２３と、有機層１２８の上に設けられた図示しない基板あるいは膜は、光を透過させることができる。そのため、光は、複数の補助配線１２４同士の間および複数の第２の電極１２５同士の間からパネル１２０を透過する。これにより、非点灯時には、照明器具１００の全体の透明性を確保しつつ、パネル１２０に電圧を供給して発光を得ることができる。
【００５２】
なお、図４（ｂ）に表したように、第１の導電体１２２ａは、複数の補助配線１２４を電気的に接続するように、第２の主面１２１ｈ、第３の側面１２１ｆおよび第４の側面１２１ｇに横断的に形成されていてもよい。同様に、第２の導電体１２５ａは、複数の第２の電極１２５を電気的に接続するように、第２の主面１２１ｈ、第３の側面１２１ｆおよび第４の側面１２１ｇに横断的に形成されていてもよい。
【００５３】
図６は、本実施形態の他のパネルを表す模式的斜視図である。  
図６（ａ）は、本実施形態の他のパネルにおいて、第１の導電体１２２ａおよび第２の導電体１２５ａの設置形態の一例を例示する模式的斜視図である。図６（ｂ）は、本実施形態の他のパネルにおいて、第１の導電体１２２ａおよび第２の導電体１２５ａの設置形態の他の一例を例示する模式的斜視図である。
【００５４】
本実施形態のパネル１２０ａでは、第１の導電体１２２ａは、基板１２１の第１の側面１２１ｄだけではなく、基板１２１の第１の端部１２１ａにおける第２の主面１２１ｈ、第１の側面１２１ｄ、第３の側面１２１ｆおよび第４の側面１２１ｇに設けられている。これにより、複数の補助配線１２４は、第１の導電体１２２ａを介して互いに電気的に接続されている。第２の主面１２１ｈの端部に第１の導電体１２２ａを形成することは、複数の補助配線１２４との電気的な接続を確実にするうえで望ましい。
【００５５】
第２の導電体１２５ａは、基板１２１の第２の側面１２１ｅだけではなく、基板１２１の第２の端部１２１ｂにおける第２の主面１２１ｈ、第２の側面１２１ｅ、第３の側面１２１ｆおよび第４の側面１２１ｇに設けられている。これにより、複数の第２の電極１２５は、第２の導電体１２５ａを介して互いに電気的に接続されている。第２の主面１２１ｈの端部に第２の導電体１２５ａを形成することは、複数の第２の電極１２５との電気的な接続を確実にするうえで望ましい。
【００５６】
第１の導電体１２２ａおよび第２の導電体１２５ａは、例えばスクリーン印刷などにより、前述した箇所にそれぞれ形成されている。その他の構造は、図１〜図５に関して前述したパネル１２０の構造と同様である。
【００５７】
本実施形態のパネル１２０ａによれば、補助配線１２４および第２の電極１２５をパターン形成した後に手作業により複数の補助配線１２４同士および複数の第２の電極１２５同士を接続する必要がない。例えば、補助配線１２４および第２の電極１２５をパターン形成した後に、スクリーン版を用いたスクリーン印刷により第１の導電体１２２ａおよび第２の導電体１２５ａをそれぞれパターン形成することができる。これによれば、複数の補助配線１２４を互いに接続することができるとともに、基板１２１の第１の側面１２１ｄ、第３の側面１２１ｆおよび第４の側面１２１ｇに設けられた第１の導電体１２２ａと補助配線１２４とを接続することができる。また、複数の第２の電極１２５を互いに接続することができるとともに、基板１２１の第２の側面１２１ｅ、第３の側面１２１ｆおよび第４の側面１２１ｇに設けられた第２の導電体１２５ａと第２の電極１２５とを接続することができる。
【００５８】
さらに、第１の導電体１２２ａが基板１２１の第１の端部１２１ａにおける第２の主面１２１ｈ、第１の側面１２１ｄ、第３の側面１２１ｆおよび第４の側面１２１ｇに設けられているため、補助配線１２４（第１の電極１２２）に略均一に電圧を供給することができる。また、第２の導電体１２５ａが基板１２１の第２の端部１２１ｂにおける第２の主面１２１ｈ、第２の側面１２１ｅ、第３の側面１２１ｆおよび第４の側面１２１ｇに設けられているため、第２の電極１２５に略均一に電圧を供給することができる。
【００５９】
なお、図６（ｂ）に表したように、第１の導電体１２２ａを第２の導電体１２５ａに対して絶縁距離を維持しつつ第４の側面１２１ｇに形成してもよい。同様に、第２の導電体１２５ａを第１の導電体１２２ａに対して絶縁距離を維持しつつ第３の側面１２１ｆに形成してもよい。
【００６０】
次に、複数のパネル同士の電気的な接続、およびパネルと外部電源との電気的な接続の例について、図面を参照しつつ説明する。  
図７は、本実施形態の電気的接続の一例を例示する模式的平面図である。  
図８は、本実施形態の電気的接続の他の一例を例示する模式図である。  
図８（ａ）は、本実施形態の電気的接続の他の一例を例示する模式的平面図である。図８（ｂ）は、図８（ａ）に表した切断面Ｄ−Ｄにおける模式的断面図である。  
なお、図７および図８に表した本実施形態の電気的接続では、図６（ｂ）に表したようなパネル１２０ａが使用された場合を例に挙げて説明する。
【００６１】
図７に表した第１のパネル１２０ｂの補助配線１２４（第１の電極１２２）は、第１の導電体１２２ａおよび接続体１３０を介して外部電源１４０の陽極１４１に接続されている。本実施形態では、同様の照明器具１００が横並びに複数（例えば、５セット）配置されるため、外部電源１４０は、照明器具１００の下側に配置される。なお、図２（ｂ）、図２（ｃ）および図３（ａ）に関して前述したように、第１の導電体１２２ａと接続体１３０との間には、第３の導電体１５１が設けられていてもよい。
【００６２】
続いて、第１のパネル１２０ｂの第２の電極１２５は、第２の導電体１２５ａ、接続体１３０および第１の導電体１２２ａを介して第２のパネル１２０ｃの補助配線１２４（第１の電極１２２）に接続されている。図２（ｂ）、図２（ｃ）および図３（ｂ）に関して前述したように、第２の導電体１２５ａと接続体１３０との間には、第４の導電体１５３が設けられていてもよい。
【００６３】
続いて、第２のパネル１２０ｃの第２の電極１２５は、第２の導電体１２５ａ、接続体１３０および第１の導電体１２２ａを介して第３のパネル１２０ｄの補助配線１２４（第１の電極１２２）に接続されている。続いて、第３のパネル１２０ｄの第２の電極１２５は、第２の導電体１２５ａ、接続体１３０および第１の導電体１２２ａを介して第４のパネル１２０ｅの補助配線１２４（第１の電極１２２）に接続されている。続いて、第４のパネル１２０ｅの第２の電極１２５は、第２の導電体１２５ａおよび接続体１３０を介して外部電源１４０の陰極１４３に接続されている。
【００６４】
これにより、第１のパネル１２０ｂと、第２のパネル１２０ｃと、第３のパネル１２０ｄと、第４のパネル１２０ｅと、外部電源１４０と、の間において直列回路が形成される。外部電源１４０が照明器具１００に電圧を供給すると、第１のパネル１２０ｂと、第２のパネル１２０ｃと、第３のパネル１２０ｄと、第４のパネル１２０ｅと、は基板１２１の第１の主面１２１ｃ（図２（ａ）参照）から外部へ光を放射する。
【００６５】
なお、図７に表した電気的接続の形態は一例であり、本実施形態の電気的接続はこれだけに限定されるわけではない。例えば、図８（ａ）に表したように、接続体１３０により、互いに直列接続された第１のパネル１２０ｂおよび第４のパネル１２０ｅと、互いに直列接続された第２のパネル１２０ｃおよび第３のパネル１２０ｄと、を並列接続してもよい。この場合、図８（ｂ）に表したように、第１のパネル１２０ｂと第４のパネル１２０ｅとの間の接続体１３０による接続は、第１の枠１１１に形成されたスルーホール１１１ｂを介して行われる。これによれば、第２のパネル１２０ｃおよび第３のパネル１２０ｄと外部電源１４０とをつなぐ接続体１３０と、第１のパネル１２０ｂと第４のパネル１２０ｅとをつなぐ接続体１３０と、を立体交差させてもよい。
【００６６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６７】
１００ 照明器具、  １１０ 枠、  １１１ 第１の枠体、  １１１ｂ スルーホール、  １１２ 第２の枠体、  １１４ 凹部、  １１４ａ 側壁、  １１５ 上面、  １２０、１２０ａ、１２０ｂ、１２０ｃ、１２０ｄ、１２０ｅ パネル、  １２１ 基板、  １２１ａ 第１の端部、  １２１ｂ 第２の端部、  １２１ｃ 第１の主面、  １２１ｄ 第１の側面、  １２１ｅ 第２の側面、  １２１ｆ 第３の側面、  １２１ｇ 第４の側面、  １２１ｈ 第２の主面、  １２２ 第１の電極、  １２２ａ 第１の導電体、  １２３ 電極膜、  １２４ 補助配線、  １２４ａ 第１の層、  １２４ｂ 第２の層、  １２４ｃ 第３の層、  １２４ｄ 絶縁層、  １２５ 第２の電極、  １２５ａ 第２の導電体、  １２７ 発光領域、  １２８ 有機層、  １３０ 接続体、  １４０ 外部電源、  １４１ 陽極、  １４３ 陰極、  １５１ 第３の導電体、  １５３ 第４の導電体
【図１】
2014150197.tif 000003
【図２】
2014150197.tif 000004
【図３】
2014150197.tif 000005
【図４】
2014150197.tif 000006
【図５】
2014150197.tif 000007
【図６】
2014150197.tif 000008
【図７】
2014150197.tif 000009
【図８】
2014150197.tif 000010